(57)【特許請求の範囲】
【請求項１】
冷媒の流れる経路を切り換える流路切換弁であって、
第１流入口（１１）、第２流入口（１２）、第１流出口（１３）及び第２流出口（１４）が設けられている本体（１０）と、
前記本体（１０）内部を、前記第１流入口（１１）および前記第２流入口（１２）に通じる第１弁室（１０１）と、前記第１流出口（１３）および前記第２流出口（１４）に通じる第２弁室（１０２）とに仕切る弁体（２０）と、
前記弁体（２０）を前記本体（１０）の長軸回りに回転させる駆動部（３０）と、
を備え、
前記弁体（２０）は、
前記第１弁室（１０１）及び前記第２弁室（１０２）を貫通して前記第１流入口（１１）と前記第１流出口（１３）とを連絡する通路と、
前記第１弁室（１０１）及び前記第２弁室（１０２）を貫通して前記第２流入口（１２）と前記第２流出口（１４）とを連絡する通路と、
を有し、
さらに、前記弁体（２０）は前記通路を移動させて、
第１流入口（１１）及び第２流入口（１２）から流入させた冷媒を第１流出口（１３）及び第２流出口（１４）へ導く第１形態、及び、
前記第１流入口（１１）のみから流入させた冷媒を前記第１流出口（１３）のみへ導く第２形態、
のいずれか一方への切り換えを行う、
流路切換弁（５１）。
【請求項２】
前記通路は、
第１通路（２１ａ、２１ｂ）と、
通路断面積が前記第１通路（２１ａ，２１ｂ）の通路断面積よりも小さく形成されている冷媒減圧区間を有する第２通路（２２ａ，２２ｂ）と、
を含み、
前記第１形態への切り換えが行われるとき、前記第１通路（２１ａ，２１ｂ）または前記第２通路（２２ａ，２２ｂ）のいずれか一方が選択される、
請求項１に記載の流路切換弁（５１）。
【請求項３】
前記冷媒減圧区間には、ボール（２５）と前記ボール（２５）を受ける弁座（２７）とが配置されている、
請求項２に記載の流路切換弁（５１）。
【請求項４】
前記弁座（２７）に、ブリード孔（２７ａ）が形成されている、
請求項３に記載の流路切換弁（５１）。
【請求項５】
冷媒の流れる経路を切り換える流路切換弁であって、
第１流入口（１１）、第２流入口（１２）、第１流出口（１３）及び第２流出口（１４）が設けられている本体（１０）と、
前記本体（１０）内部を、前記第１流入口（１１）および前記第２流入口（１２）に通じる第１弁室（１０１）と、前記第１流出口（１３）および前記第２流出口（１４）に通じる第２弁室（１０２）とに仕切る弁体（２０）と、
前記弁体（２０）を前記本体（１０）の長軸回りに回転させる駆動部（３０）と、
を備え、
前記弁体（２０）は、
前記第１弁室（１０１）を貫通して前記第１流入口（１１）と前記第１流出口（１３）及び第２流出口（１４）とを連絡する通路と、
前記第１弁室（１０１）及び前記第２弁室（１０２）を貫通して前記第１流入口（１１）と前記第１流出口（１３）とを連絡する通路と、
を有し、
さらに、前記弁体（２０）は、
前記第１流入口（１１）のみから流入させた冷媒を前記第１流出口（１３）及び前記第２流出口（１４）へ導く第１形態、及び、
前記第１流入口（１１）のみから流入させた冷媒を前記第１流出口（１３）のみへ導く第２形態、
のいずれか一方への切り換えを行う、
流路切換弁（５１）。
【請求項６】
前記通路は、
第１通路（２１）と、
通路断面積が前記第１通路（２１）の通路断面積よりも小さく形成されている冷媒減圧区間を有する第２通路（２２）と、
を含み、
前記第１形態への切り換えが行われるとき、前記第１通路（２１）または前記第２通路（２２）のいずれか一方が選択される、
請求項５に記載の流路切換弁（５１）。
【請求項７】
前記冷媒減圧区間には、ボール（２５）と前記ボール（２５）を受ける弁座（２７）とが配置されている、
請求項６に記載の流路切換弁（５１）。
【請求項８】
前記弁座（２７）に、ブリード孔（２７ａ）が形成されている、
請求項７に記載の流路切換弁（５１）。
【請求項９】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項１から請求項５のいずれか１項に記載の流路切換弁（５１）と、
を有し、
前記第１室内熱交換部（４０ａ）が前記第１流入口（１１）に、前記第２室内熱交換部（４０ｂ）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、能力を抑制して冷房運転を行うとき、前記流路切換弁（５１）を前記第２形態へ切り換える、
空気調和機。
【請求項１０】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第２室内熱交換部（４０ｂ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項１から請求項８のいずれか１項に記載の流路切換弁（５１）と、
を有し、
前記減圧器（７）及び前記室内熱交換器（４０）を結ぶ配管と前記流路切換弁（５１）とはバイパス路（６１）によって結ばれ、
前記バイパス路（６１）が前記第１流入口（１１）に、前記第２室内熱交換部（４０ｂ）が第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、能力を抑制して冷房運転を行うとき、前記流路切換弁（５１）を、前記第２形態へ切り換える、
空気調和機。
【請求項１１】
圧縮機（５）、四路切換弁（２）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第４室内熱交換部（４０ｄ）を含む第２室内熱交換部群（４２）と、
前記第１室内熱交換部群（４１）と前記第２室内熱交換部群（４２）との間に配置される、請求項１から請求項８のいずれか１項に記載の流路切換弁（５１）と、
を有し、
前記四路切換弁（２）及び前記室内熱交換器（４０）を結ぶ配管と前記流路切換弁（５１）とはバイパス路（７１）によって結ばれ、
前記第１室内熱交換部（４０ａ）が前記第１流出口（１３）に、前記第２室内熱交換部（４０ｂ）が前記第２流出口（１４）に、前記バイパス路（７１）が前記第１流入口（１１）に、前記第４室内熱交換部（４０ｄ）が前記第２流入口（１２）に接続されており、
前記制御部（８）は、能力を抑制して冷房運転を行うとき、前記流路切換弁（５１）を、前記第２形態へ切り換える、
空気調和機。
【請求項１２】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項２から請求項４のいずれか１項に記載の流路切換弁（５１）と、
を有し、
前記第１室内熱交換部（４０ａ）が前記第１流入口（１１）に、前記第２室内熱交換部（４０ｂ）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、再熱除湿運転を行うときは、前記流路切換弁（５１）を、前記第２通路を用いた第１形態へ切り換える、
空気調和機。
【請求項１３】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項６から請求項８のいずれか１項に記載の流路切換弁（５１）と、
を有し、
前記減圧器（７）及び前記室内熱交換器（４０）を結ぶ配管と前記流路切換弁（５１）とはバイパス路（６１）によって結ばれ、
前記第１室内熱交換部（４０ａ）が前記第１流入口（１１）に、前記バイパス路（６１）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、再熱除湿運転を行うときは、前記流路切換弁（５１）を、前記第２通路を用いた第１形態へ切り換える、
空気調和機。
【請求項１４】
圧縮機（５）、四路切換弁（２）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）を含む第２室内熱交換部群（４２）と、
前記第１室内熱交換部群（４１）と前記第２室内熱交換部群（４２）との間に配置される、請求項６から請求項８のいずれか１項に記載の流路切換弁（５１）と、
を有し、
前記四路切換弁（２）及び前記室内熱交換器（４０）を結ぶ配管と前記流路切換弁（５１）とはバイパス路（７１）によって結ばれ、
前記第１室内熱交換部（４０ａ）が前記第１流出口（１３）に、前記第２室内熱交換部（４０ｂ）が前記第２流出口（１４）に、前記第３室内熱交換部（４０ｃ）が前記第１流入口（１１）に、前記バイパス路（７１）が前記第２流入口（１２）に接続されており、
前記制御部（８）は、再熱除湿運転を行うときは、前記流路切換弁（５１）を、前記第２通路を用いた第１形態へ切り換える、
空気調和機。
【請求項１５】
圧縮機（５）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）を含む第１室内熱交換部群（４１）と、
第３室内熱交換部（４０ｃ）、及び前記第３室内熱交換部（４０ｃ）と並列に接続される第４室内熱交換部（４０ｄ）を含む第２室内熱交換部群（４２）と、
前記第１室内熱交換部群（４１）と前記第２室内熱交換部群（４２）との間に配置される、請求項１から請求項８のいずれか１項に記載の流路切換弁（５１）と、
を有し、
前記減圧器（７）及び前記室内熱交換器（４０）を結ぶ配管と前記流路切換弁（５１）とはバイパス路（６１）によって結ばれ、
前記第１室内熱交換部（４０ａ）が前記第１流入口（１１）に、前記バイパス路（６１）が前記第２流入口（１２）に、前記第３室内熱交換部（４０ｃ）が前記第１流出口（１３）に、前記第４室内熱交換部（４０ｄ）が前記第２流出口（１４）に接続されており、
前記制御部（８）は、能力を抑制して冷房運転を行うとき、前記流路切換弁（５１）を、前記第２形態へ切り換える、
空気調和機。
【請求項１６】
圧縮機（５）、四路切換弁（２）、凝縮器、減圧器（７）、及び蒸発器の順で冷媒が循環する蒸気圧縮式冷凍サイクルを利用する空気調和機であって、
制御部（８）と、
暖房運転時には前記凝縮器となり、冷房運転時には前記蒸発器となる室内熱交換器（４０）と、
暖房運転時には前記蒸発器となり、冷房運転時には前記凝縮器となる室外熱交換器（４６）と、
を備え、
前記室内熱交換器（４０）は、
第１室内熱交換部（４０ａ）、及び前記第１室内熱交換部（４０ａ）と並列に接続される第２室内熱交換部（４０ｂ）を含む第１室内熱交換部群（４１）と、
第３室内熱交換部（４０ｃ）を含む第２室内熱交換部群（４２）と、
前記第１室内熱交換部群（４１）と前記第２室内熱交換部群（４２）との間に配置される、請求項１から請求項８のいずれか１項に記載の流路切換弁（５１）と、
を有し、
前記四路切換弁（２）及び前記室内熱交換器（４０）を結ぶ配管と前記流路切換弁（５１）とはバイパス路（７１）によって結ばれ、
前記第１室内熱交換部（４０ａ）が前記第１流出口（１３）に、前記第２室内熱交換部（４０ｂ）が前記第２流出口（１４）に、前記第３室内熱交換部（４０ｃ）が前記第１流入口（１１）に、前記バイパス路（７１）が前記第２流入口（１２）に接続されており、
前記制御部（８）は、能力を抑制して冷房運転を行うとき、前記流路切換弁（５１）を、前記第２形態へ切り換える、
空気調和機。
【発明の詳細な説明】
【技術分野】
【０００１】
本発明は、流体の流通路を切り換え、或は、流体を多方向に分配する流路切換弁に関する。
【背景技術】
【０００２】
容量可変型の圧縮機を搭載した空気調和機の冷房運転において、空調負荷が小さいときは空気調和機の能力は小さくてもよいので、少ない冷媒循環量で運転されるように圧縮機回転数が制御されることが好ましい。但し、少ない冷媒循環量で運転される場合、室内熱交換器に入った冷媒は直ぐに蒸発してその蒸発温度が吸い込み空気の露点温度に到達しないため、吸い込み空気の顕熱は奪われるが潜熱は奪われず、除湿が行われない。このような問題点を克服するため、特許文献１（特開２００３−１４８８３０号公報）に開示されている空気調和機では、冷房負荷および除湿負荷の大きさに対応して、室内熱交換器のうちの複数の熱交換部から、蒸発器として機能する熱交換部の数量が選択されるようになっている。
【発明の概要】
【発明が解決しようとする課題】
【０００３】
しかしながら、特許文献１に記載の空気調和機は、蒸発器として機能する熱交換部を選択するために、熱交換部間に少なくとも開閉弁と膨張弁とが必要であり、コスト増大の要因となっている。
【０００４】
本発明の課題は、少ない冷媒循環量で冷房運転されるときでも除湿が行われる空気調和機を低コストで実現する流路切換弁を提供することにある。
【課題を解決するための手段】
【０００５】
本発明の第１観点に係る流路切換弁は、冷媒の流れる経路を切り換える流路切換弁であって、本体と、弁体と、駆動部とを備えている。本体には、第１流入口、第２流入口、第１流出口及び第２流出口が設けられている。弁体は、本体内部を、第１流入口および第２流入口に通じる第１弁室と、第１流出口および第２流出口に通じる第２弁室とに仕切る。駆動部は、弁体を本体の長軸回りに回転させる。さらに、弁体は、第１弁室および第２弁室を貫通して第１流入口と第１流出口とを連絡する通路と、第１弁室および第２弁室を貫通して第２流入口と第２流出口とを連絡する通路とを有している。さらに、弁体は上記通路を移動させて、第１形態および第２形態のいずれか一方への切り換えを行う。第１形態は、第１流入口および第２流入口から流入させた冷媒を第１流出口および第２流出口へ導く形態である。第２形態は、第１流入口のみから流入させた冷媒を第１流出口のみへ導く形態である。
【０００６】
この流路切換弁では、例えば、冷媒が流れる複数のパスを有する冷却用蒸発器の入口または出口に流路切換弁を配置したとき、第１形態では蒸発器全体で冷房を行うことができ、第２形態では一部のパスにのみ冷媒を流し蒸発器として冷房を行うことができる。
【０００７】
本発明の第２観点に係る流路切換弁は、第１観点に係る流路切換弁であって、通路が、第１通路と第２通路とを含んでいる。第２通路は、通路断面積が第１通路の通路断面積よりも小さく形成されている冷媒減圧区間を有している。第１形態への切り換えが行われるとき、第１通路または第２通路のいずれか一方が選択される。
【０００８】
この流路切換弁では、例えば、冷媒が流れる２つの直列配置のパスの間に流路切換弁を配置したとき、流路切換弁が第２通路を用いた第１形態に切り換わることによって、流路切換弁の上流側のパスを凝縮器として、下流側のパスを蒸発器として利用することが可能になる。
【０００９】
本発明の第３観点に係る流路切換弁は、第２観点に係る流路切換弁であって、冷媒減圧区間には、ボールとそのボールを受ける弁座とが配置されている。
【００１０】
この流路切換弁では、簡単な構成で通路面積を小さくできるので、実現が容易である。
【００１１】
本発明の第４観点に係る流路切換弁は、第３観点に係る流路切換弁であって、弁座にブリード孔が形成されている。
【００１２】
この流路切換弁では、ボール側から弁座側への方向（Ａ方向とよぶ）の冷媒流量は、弁座側からボール側への方向の冷媒流量よりも極端に少なくなるので、Ａ方向を減圧機構として利用することができる。
【００１３】
本発明の第５観点に係る流路切換弁は、冷媒の流れる経路を切り換える流路切換弁であって、本体と、弁体と、駆動部とを備えている。本体には、第１流入口、第２流入口、第１流出口および第２流出口が設けられている。弁体は、本体内部を、第１流入口および第２流入口に通じる第１弁室と、第１流出口および第２流出口に通じる第２弁室とに仕切る。駆動部は、弁体を本体の長軸回りに回転させる。さらに、弁体は、第１弁室を貫通して第１流入口と第１流出口および第２流出口とを連絡する通路と、第１弁室および第２弁室を貫通して第１流入口と第１流出口とを連絡する通路とを有している。さらに、弁体は、第１形態および第２形態のいずれか一方への切り換えを行う。第１形態は、第１流入口のみから流入させた冷媒を第１流出口および第２流出口へ導く形態である。第２形態は、第１流入口のみから流入させた冷媒を第１流出口のみへ導く形態である。
【００１４】
この流路切換弁では、例えば、冷媒が流れる複数のパスを有する冷却用蒸発器の入口または出口に流路切換弁が配置されたとき、第１形態では蒸発器全体で冷房を行うことができ、第２形態では一部のパスにのみ冷媒を流し蒸発器として冷房を行うことができる。
【００１５】
本発明の第６観点に係る流路切換弁は、第５観点に係る流路切換弁であって、通路が、第１通路と、第２通路とを含んでいる。第２通路は、通路断面積が第１通路の通路断面積よりも小さく形成されている冷媒減圧区間を有する。第１形態への切り換えが行われるとき、第１通路または第２通路のいずれか一方が選択される。
【００１６】
この流路切換弁では、例えば、冷媒が流れる２つの直列配置のパスの間に流路切換弁が配置されたとき、流路切換弁が第２通路を用いた第１形態に切り換わることによって、流路切換弁の上流側のパスを凝縮器として、下流側のパスを蒸発器として利用することが可能になる。
【００１７】
本発明の第７観点に係る流路切換弁は、第６観点に係る流路切換弁であって、冷媒減圧区間には、ボールとそのボールを受ける弁座とが配置されている。
【００１８】
この流路切換弁では、簡単な構成で通路面積を小さくできるので、実現が容易である。
【００１９】
本発明の第８観点に係る流路切換弁は、第７観点に係る流路切換弁であって、弁座にブリード孔が形成されている。
【００２０】
この流路切換弁では、ボール側から弁座側への方向（Ａ方向とよぶ）の冷媒流量は、弁座側からボール側への方向の冷媒流量よりも極端に少なくなるので、Ａ方向を減圧機構として利用することができる。
【００２１】
本発明の第９観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備える。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換器群と、第２室内熱交換器群と、第１観点から第５観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。また、第１室内熱交換部は第１流入口に、第２室内熱交換部は第２流入口に、第３室内熱交換部は第１流出口に、第４室内熱交換部は第２流出口に接続されている。制御部は、能力を抑制して冷房運転を行うとき、流路切換弁を第２形態へ切り換える。
【００２２】
この空気調和機では、冷房運転時に制御部が流路切換弁を第２形態へ切り換えさせることによって、例えば、第１室内熱交換部及び第３室内熱交換部だけに冷媒を流すことができるので、室内熱交換器の一部だけが蒸発器となる。これによって、室内熱交換器の使用容量が小さくなり、冷媒が直ぐに蒸発することが抑制される。また、室内熱交換器の使用容量が小さくなったことによって蒸発圧力が下がり、蒸発温度も下がるので、除湿が行われる。特に、室内熱交換器全体への送風量が変わらず、冷媒を流す室内熱交換器の容量が小さくなったときには、吸い込み空気は顕熱が多く奪われることなく除湿される。
【００２３】
本発明の第１０観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備える。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第８観点のいずれか１つに係る流路切換弁とを有している。第１室内熱交換部群は、第２室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。減圧器および室内熱交換器を結ぶ配管と流路切換弁とはバイパス路によって結ばれている。また、バイパス路は第１流入口に、第２室内熱交換部は第２流入口に、第３室内熱交換部は第１流出口に、第４室内熱交換部は第２流出口に接続されている。制御部は、能力を抑制して冷房運転を行うとき、流路切換弁を、第２形態へ切り換える。
【００２４】
この空気調和機では、バイパス路から第１流入口に入った冷媒を第１流出口から第３熱交換部へ流して室内熱交換器の使用容量を小さくすることによって、冷媒が直ぐに蒸発することが抑制される。また、室内熱交換器の使用容量が小さくなったことによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【００２５】
本発明の第１１観点に係る空気調和機は、圧縮機、四路切換弁、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第８観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第４室内熱交換部を含む。流路切換弁は、第１室内熱交換部群と第２室内熱交換部群との間に配置される。四路切換弁および室内熱交換器を結ぶ配管と流路切換弁とはバイパス路によって結ばれている。また、第１室内熱交換部は第１流出口に、第２室内熱交換部は第２流出口に、バイパス路は第１流入口に、第４室内熱交換部は第２流入口に接続されている。制御部は、能力を抑制して冷房運転を行うとき、流路切換弁を第２形態へ切り換える。
【００２６】
この空気調和機では、第１流出口および第２流出口を流入口として、第１流入口を流出口として利用することができる。また、第１室内熱交換部から第１流出口に入った冷媒を第１流入口からバイパス路へ流して室内熱交換器の使用容量を小さくすることによって、冷媒が直ぐに蒸発することが抑制される。さらに、室内熱交換器の使用容量が小さくなったことによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【００２７】
本発明の第１２観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第２観点から第４観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。また、第１室内熱交換部は第１流入口に、第２室内熱交換部は第２流入口に、第３室内熱交換部は第１流出口に、第４室内熱交換部は第２流出口に接続されている。制御部は、再熱除湿運転を行うときは、流路切換弁を、第２通路を用いた第１形態へ切り換える。
【００２８】
この空気調和機では、制御部が、流路切換弁を、第２通路を用いた第１形態へ切り換えることによって冷媒が減圧され、第１室内熱交換部群が凝縮器になり、第２室内熱交換部群が蒸発器になる。つまり、流路切換弁は再熱除湿運転時の膨張弁としての機能をも有する。
【００２９】
本発明の第１３観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第６観点から第８観点にいずれか１つに係る流路切換弁とを有している。第１室内熱交換部群は、第１室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。減圧器および室内熱交換器を結ぶ配管と流路切換弁とはバイパス路によって結ばれている。また、第１室内熱交換部は第１流入口に、バイパス路は第２流入口に、第３室内熱交換部は第１流出口に、第４室内熱交換部は第２流出口に接続されている。制御部は、再熱除湿運転を行うときは、流路切換弁を、第２通路を用いた第１形態へ切り換える。
【００３０】
この空気調和機では、制御部が、流路切換弁を、第２通路を用いた第１形態へ切り換えることによって冷媒が減圧され、第１室内熱交換部群が凝縮器になり、第２室内熱交換部群が蒸発器になる。つまり、流路切換弁は再熱除湿運転時の膨張弁としての機能をも有する。
【００３１】
本発明の第１４観点に係る空気調和機は、圧縮機、四路切換弁、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第６観点から第８観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部を含む。流路切換弁は、第１室内熱交換部群と第２室内熱交換部群との間に配置される。四路切換弁および室内熱交換器を結ぶ配管と流路切換弁とはバイパス路によって結ばれている。また、第１室内熱交換部は第１流出口に、第２室内熱交換部は第２流出口に、第３室内熱交換部は第１流入口に、バイパス路は第２流入口に接続されている。制御部は、再熱除湿運転を行うときは、流路切換弁を、第２通路を用いた第１形態へ切り換える。
【００３２】
この空気調和機では、第１流出口および第２流出口を流入口として、第１流入口を流出口として利用することによって、再熱除湿運転時、２つの凝縮器からの冷媒を減圧して、１つに蒸発器へ送る構成が可能となる。
【００３３】
本発明の第１５観点に係る空気調和機は、圧縮機、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第８観点にいずれか１つに係る流路切換弁とを有している。第１室内熱交換部群は、第１室内熱交換部を含む。第２室内熱交換部群は、第３室内熱交換部、及びその第３室内熱交換部と並列に接続される第４室内熱交換部を含む。流路切換弁は、第１室内熱交換部群と第２室内熱交換部群との間に配置される。減圧器および室内熱交換器を結ぶ配管と流路切換弁とはバイパス路によって結ばれている。また、第１室内熱交換部は第１流入口に、バイパス路は第２流入口に、第３室内熱交換部は第１流出口に、第４室内熱交換部は第２流出口に接続されている。制御部は、能力を抑制して冷房運転を行うとき、流路切換弁を第２形態へ切り換える。
【００３４】
この空気調和機では、冷房運転時に制御部が流路切換弁を第２形態へ切り換えさせることによって、例えば、第１室内熱交換部及び第３室内熱交換部だけに冷媒を流すことができるので、室内熱交換器の一部だけが蒸発器となる。これによって、室内熱交換器の使用容量が小さくなり、冷媒が直ぐに蒸発することが抑制される。また、室内熱交換器の使用容量が小さくなったことによって蒸発圧力が下がり、蒸発温度も下がるので、除湿が行われる。特に、室内熱交換器全体への送風量が変わらず、冷媒を流す室内熱交換器の容量が小さくなったときには、吸い込み空気は顕熱が多く奪われることなく除湿される。
【００３５】
本発明の第１６観点に係る空気調和機は、圧縮機、四路切換弁、凝縮器、減圧器、及び蒸発器の順で冷媒が循環する蒸気圧縮式冷凍サイクルを利用する空気調和機であって、制御部と、室内熱交換器と、室外熱交換器とを備えている。室内熱交換器は、暖房運転時には凝縮器となり、冷房運転時には蒸発器となる。室外熱交換器は、暖房運転時には蒸発器となり、冷房運転時には凝縮器となる。また、室内熱交換器は、第１室内熱交換部群と、第２室内熱交換部群と、第１観点から第８観点のいずれか１つに係る流路切換弁とを有している。第１室内熱交換部群は、第１室内熱交換部、及びその第１室内熱交換部と並列に接続される第２室内熱交換部を含む。第２室内熱交換部群は、第３室内熱交換部を含む。流路切換弁は、第１室内熱交換部群と第２室内熱交換部群との間に配置される。四路切換弁および室内熱交換器を結ぶ配管と流路切換弁とはバイパス路によって結ばれている。また、第１室内熱交換部は第１流出口に、第２室内熱交換部は第２流出口に、第３室内熱交換部は第１流入口に、バイパス路は第２流入口に接続されている。制御部は、能力を抑制して冷房運転を行うとき、流路切換弁を第２形態へ切り換える。
【００３６】
この空気調和機では、冷房運転時に制御部が流路切換弁を第２形態へ切り換えさせることによって、例えば、第１室内熱交換部及び第３室内熱交換部だけに冷媒を流すことができるので、室内熱交換器の一部だけが蒸発器となる。これによって、室内熱交換器の使用容量が小さくなり、冷媒が直ぐに蒸発することが抑制される。また、室内熱交換器の使用容量が小さくなったことによって蒸発圧力が下がり、蒸発温度も下がるので、除湿が行われる。特に、室内熱交換器全体への送風量が変わらず、冷媒を流す室内熱交換器の容量が小さくなったときには、吸い込み空気は顕熱が多く奪われることなく除湿される。
【発明の効果】
【００３７】
本発明の第１観点または第５観点に係る流路切換弁では、冷媒が流れる複数のパスを有する冷却用蒸発器の入口または出口に流路切換弁を配置したとき、第１形態では蒸発器全体で冷房を行うことができ、第２形態では一部のパスにのみ冷媒を流し蒸発器として冷房を行うことができる。
【００３８】
本発明の第２観点または第６観点に係る流路切換弁では、冷媒が流れる２つの直列配置のパスの間に流路切換弁を配置したとき、流路切換弁が第２通路を用いた第１形態に切り換わることによって、流路切換弁の上流側のパスを凝縮器として、下流側のパスを蒸発器として利用することが可能になる。
【００３９】
本発明の第３観点または第７観点に係る流路切換弁では、簡単な構成で通路面積を小さくできるので、実現が容易である。
【００４０】
本発明の第４観点または第８観点に係る流路切換弁では、ボール側から弁座側への方向を減圧機構として利用することができる。
【００４１】
本発明の第９観点から第１１観点のいずれか１つに係る空気調和機では、室内熱交換器の使用容量を小さくすることによって、冷媒が直ぐに蒸発することが抑制される。また、室内熱交換器の使用容量が小さくなることによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【００４２】
本発明の第１２観点または第１３観点に係る空気調和機では、制御部が、流路切換弁を、第２通路を用いた第１形態へ切り換えることによって冷媒が減圧され、第１室内熱交換部群が凝縮器になり、第２室内熱交換部群が蒸発器になる。つまり、流路切換弁は再熱除湿運転時の膨張弁としての機能をも有する。
【００４３】
本発明の第１４観点に係る空気調和機では、第１流出口および第２流出口を流入口として、第１流入口を流出口として利用することによって、再熱除湿運転時、２つの凝縮器からの冷媒を減圧して、１つに蒸発器へ送る構成が可能となる。
【００４４】
本発明の第１５観点または第１６観点に係る空気調和機では、室内熱交換器の使用容量を小さくすることによって、冷媒が直ぐに蒸発することが抑制される。また、室内熱交換器の使用容量が小さくなることによって蒸発圧力が下がり、蒸発温度も下がるので、除湿することが可能となる。そうすると、室内熱交換器全体への送風量が変わらず、冷媒を流す室内熱交換器の容量が小さくなるので、吸い込み空気は顕熱が多く奪われることなく除湿される。
【図面の簡単な説明】
【００４５】
【図１】本発明の第１実施形態に係る流路切換弁を備えた空気調和機の構成図。
【図２Ａ】第１−１通路および第１−２通路を用いる第１形態へ切り換えられた流路切換弁の断面図。
【図２Ｂ】第３通路を用いた第２形態へ切り換えられた流路切換弁の断面図。
【図２Ｃ】第３通路を用いた第３形態へ切り換えられた流路切換弁の断面図。
【図２Ｄ】第２−１通路および第２−２通路を用いる第１形態へ切り換えられた流路切換弁の断面図。
【図３Ａ】第１−１通路および第１−２通路を用いる第１形態へ切り換えられた流路切換弁の第１弁室および第２弁室を本体の中心軸と直交する面で切断したときの流路切換弁の断面図。
【図３Ｂ】第３通路を用いる第２形態へ切り換えられた流路切換弁の第１弁室および第２弁室を本体の中心軸と直交する面で切断したときの流路切換弁の断面図。
【図３Ｃ】第３通路を用いる第３形態へ切り換えられた流路切換弁の第１弁室および第２弁室を本体の中心軸と直交する面で切断したときの流路切換弁の断面図。
【図３Ｄ】第２−１通路および第２−２通路を用いる第１形態へ切り換えられた流路切換弁の第１弁室および第２弁室を本体の中心軸と直交する面で切断したときの流路切換弁の断面図。
【図４Ａ】第１−１通路および第１−２通路を用いる第１形態へ切り換えられた流路切換弁の冷媒経路図。
【図４Ｂ】第３通路を用いる第２形態へ切り換えられた流路切換弁の冷媒経路図。
【図４Ｃ】第３通路を用いる第３形態へ切り換えられた流路切換弁の冷媒経路図。
【図４Ｄ】第２−１通路および第２−２通路を用いる第１形態へ切り換えられた流路切換弁の冷媒経路図。
【図５Ａ】第２実施形態に係る流路切換弁であって、第１通路が第１配管接続部に対峙する第１形態へ切り換えられた流路切換弁の断面図。
【図５Ｂ】第２実施形態に係る流路切換弁であって、第１通路が第２配管接続部に対峙する第１形態へ切り換えられた流路切換弁の断面図。
【図５Ｃ】第２実施形態に係る流路切換弁であって、第３通路が第１配管接続部及び第３配管接続部に対峙する第２形態へ切り換えられた流路切換弁の断面図。
【図５Ｄ】第２実施形態に係る流路切換弁であって、第３通路が第２配管接続部及び第４配管接続部に対峙する第２形態へ切り換えられた流路切換弁の断面図。
【図５Ｅ】第２実施形態に係る流路切換弁であって、第２通路が第１配管接続部に対峙する第１形態へ切り換えられた流路切換弁の断面図。
【図５Ｆ】第２実施形態に係る流路切換弁であって、第２通路が第２配管接続部に対峙する第１形態へ切り換えられた流路切換弁の断面図。
【図６Ａ】第２実施形態に係る流路切換弁を備えた空気調和機の構成図。
【図６Ｂ】第２実施形態に係る流路切換弁を備えた第２の空気調和機の構成図。
【図７Ａ】第２実施形態に係る流路切換弁であって、第１通路が第１配管接続部に対峙する第１形態へ切り換えられた流路切換弁の第１弁室および第２弁室を本体の中心軸と直交する面で切断したときの流路切換弁の断面図。
【図７Ｂ】第２実施形態に係る流路切換弁であって、第１通路が第２配管接続部に対峙する第１形態へ切り換えられた流路切換弁の第１弁室および第２弁室を本体の中心軸と直交する面で切断したときの流路切換弁の断面図。
【図７Ｃ】第２実施形態に係る流路切換弁であって、第３通路が第１配管接続部及び第３配管接続部に対峙する第２形態へ切り換えられた流路切換弁の第１弁室および第２弁室を本体の中心軸と直交する面で切断したときの流路切換弁の断面図。
【図７Ｄ】第２実施形態に係る流路切換弁であって、第３通路が第２配管接続部及び第４配管接続部に対峙する第２形態へ切り換えられた流路切換弁の第１弁室および第２弁室を本体の中心軸と直交する面で切断したときの流路切換弁の断面図。
【図７Ｅ】第２実施形態に係る流路切換弁であって、第２通路が第１配管接続部に対峙する第１形態へ切り換えられた流路切換弁の第１弁室および第２弁室を本体の中心軸と直交する面で切断したときの流路切換弁の断面図。
【図７Ｆ】第２実施形態に係る流路切換弁であって、第２通路が第２配管接続部に対峙する第１形態へ切り換えられた流路切換弁の第１弁室および第２弁室を本体の中心軸と直交する面で切断したときの流路切換弁の断面図。
【図８】冷媒減圧区間に配置される弁座の横断面図。
【図９Ａ】図７Ａに対応する流路切換弁の冷媒経路図。
【図９Ｂ】図７Ｂに対応する流路切換弁の冷媒経路図。
【図９Ｃ】図７Ｃに対応する流路切換弁の冷媒経路図。
【図９Ｄ】図７Ｄに対応する流路切換弁の冷媒経路図。
【図９Ｅ】図７Ｅに対応する流路切換弁の冷媒経路図。
【図９Ｆ】図７Ｆに対応する流路切換弁の冷媒経路図。
【図１０Ａ】第２実施形態に係る流路切換弁を備えた第３の空気調和機の構成図。
【図１０Ｂ】第２実施形態に係る流路切換弁を備えた第４の空気調和機の構成図。
【発明を実施するための形態】
【００４６】
以下図面を参照しながら、本発明の実施形態について説明する。なお、以下の実施形態は、本発明の具体例であって、本発明の技術的範囲を限定するものではない。
【００４７】
＜第１実施形態＞
（１）空気調和機の構成
図１は、本発明の第１実施形態に係る流路切換弁を備えた空気調和機の構成図である。図１において、空気調和機では、室外ユニット６と室内ユニット４とが冷媒連絡管によって接続され、蒸気圧縮式の冷媒回路が構成されている。
【００４８】
（１−１）室外ユニット６
室外ユニット６は、主に室外に設置され、四路切換弁２、圧縮機５、膨張弁７、及び室外熱交換器４６を有している。
【００４９】
四路切換弁２は、冷房運転と暖房運転との切換時に、冷媒の流れの方向を切り換える弁である。四路切換弁２は、暖房運転時、圧縮機５の吐出側と室内熱交換器４０のガス側とを接続するとともに室外熱交換器４６のガス側と圧縮機５の吸入側とを接続する。また、四路切換弁２は、冷房運転時、圧縮機５の吐出側と室外熱交換器４６のガス側とを接続するとともに室内熱交換器４０のガス側と圧縮機５の吸入側とを接続する。
【００５０】
圧縮機５は、インバータ方式を採用した容量可変型圧縮機であって、低圧のガス冷媒を吸入し、圧縮して高圧のガス冷媒とした後に吐出する。
【００５１】
膨張弁７は、暖房運転時には室内熱交換器４０において放熱した高圧の液冷媒を室外熱交換器４６に送る前に減圧し、冷房運転時には室外熱交換器４６において放熱した高圧の液冷媒を室内熱交換器４０に送る前に減圧する。
【００５２】
室外熱交換器４６は、冷房運転時には冷媒の凝縮器として機能し、暖房運転時には冷媒の蒸発器として機能する熱交換器である。
【００５３】
（１−２）室内ユニット４
室内ユニット４は、室内熱交換器４０を有している。室内熱交換器４０は、フィン＆チューブ型熱交換器であって、暖房運転時には冷媒の凝縮器として機能することによって空気を加熱する。また、冷房運転時には冷媒の蒸発器として機能することによって空気を冷却する。
【００５４】
室内熱交換器４０は、第１熱交換部群４１と、第１熱交換部群４１と直列に接続される第２熱交換部群４２と、第１熱交換部群４１と第２熱交換部群４２との間に接続される流路切換弁５１を含む。
【００５５】
（２）室内ユニット４の構成
（２−１）第１熱交換部群４１と第２熱交換部群４２
第１熱交換部群４１は、第１室内熱交換部４０ａ、及び第１室内熱交換部４０ａに並列接続される第２室内熱交換部４０ｂを含む。また、第２熱交換部群４２は、第３室内熱交換部４０ｃ、及び第３室内熱交換部４０ｃに並列接続される第４室内熱交換部４０ｄを含む。
【００５６】
第１室内熱交換部４０ａ、第２室内熱交換部４０ｂ、第３室内熱交換部４０ｃ、及び第４室内熱交換部４０ｄそれぞれは、クロスフィンタイプの熱交換器構造が採用されており、複数の薄いアルミニウム製平板からなる伝熱フィンと、伝熱フィンを貫通する複数の伝熱管とによって構成されている。
【００５７】
（２−２）流路切換弁５１
図２Ａは、第１−１通路２１ａおよび第１−２通路２１ｂを用いる第１形態へ切り換えられた流路切換弁の断面図である。図２Ｂは、第３通路２３を用いる第２形態へ切り換えられた流路切換弁の断面図である。図２Ｃは、第３通路２３を用いる第３形態へ切り換えられた流路切換弁の断面図である。図２Ｄは、第２−１通路２２ａおよび第２−２通路２２ｂを用いる第１形態へ切り換えられた流路切換弁の断面図である。
【００５８】
図２Ａ〜図２Ｄにおいて、流路切換弁５１は、本体１０、弁体２０およびモータ３０で構成されている。本体１０は、両端が別部材で閉じられた円筒部材である。説明の便宜上、円筒部分を本体１０の胴部１０ａ、両端の一方を第１端部１０ｂ、他方を第２端部１０ｃとよぶ。
【００５９】
第１端部１０ｂには、外周から胴部１０ａへ通じる２つの孔があけられ、各孔に配管接続用の管が嵌め込まれてロウ付けされている。それら２つの管それぞれを第１配管接続部１１、第２配管接続部１２とよぶ。
【００６０】
また、第２端部１０ｃには、その外周から胴部１０ａへ通じる２つの孔が設けられ、各孔に配管接続用の管が嵌め込まれてロウ付けされている。それら２つの管それぞれを第３配管接続部１３、及び第４配管接続部１４とよぶ。
【００６１】
弁体２０は、円板状の回転体であり、本体１０内部を第１弁室１０１と第２弁室１０２とに仕切っている。第１配管接続部１１の流通口と第２配管接続部１２の流通口とは第１弁室１０１に通じている。また、第３配管接続部１３の流通口と第４配管接続部１４の流通口とは第２弁室１０２に通じている。
【００６２】
また、弁体２０は、第１−１通路２１ａ、第１−２通路２１ｂ、第２−１通路２２ａ、第２−２通路２２ｂ、及び第３通路２３を有している。第１−１通路２１ａは、第１弁室１０１及び第２弁室１０２を貫通して第１配管接続部１１の流通口と第３配管接続部１３の流通口とを連絡する。第１−２通路２１ｂは、第１弁室１０１及び第２弁室１０２を貫通して第２配管接続部１２の流通口と第４配管接続部１４の流通口とを連絡する。
【００６３】
第２−１通路２２ａは、第１弁室１０１及び第２弁室１０２を貫通して第１配管接続部１１の流通口と第３配管接続部１３の流通口とを連絡し、途中に冷媒減圧区間が設けられている。第２−２通路２２ｂは、第１弁室１０１及び第２弁室１０２を貫通して第２配管接続部１２の流通口と第４配管接続部１４の流通口とを連絡し、途中に冷媒減圧区間が設けられている。
【００６４】
冷媒減圧区間では、通路断面積が第１−１通路２１ａ及び第１−２通路２１ｂの通路断面積よりも小さく形成されており、例えば、冷媒が流れる２つの直列配置のパスの間に配置されたとき、上流側のパスを凝縮器として、下流側のパスを蒸発器として利用することが可能になる。本実施形態の冷媒減圧区間は、第２−１通路２２ａ及び第２−２通路２２ｂの途中にボール２５とそのボール２５を受ける弁座２７とが配置されることによって構成されている。それゆえ、流路切換弁５１では、簡単な構成で通路面積を小さくできるので、実現が容易である。
【００６５】
第３通路２３は、第１弁室１０１及び第２弁室１０２を貫通して第１配管接続部１１の流通口と第３配管接続部１３の流通口とを連絡する、若しくは第２配管接続部１２の流通口と第４配管接続部１４の流通口とを連絡する１本の通路である。
【００６６】
モータ３０は、本体１０の第２端部１０ｃ側に位置し、回転軸が第２端部１０ｃを貫通して弁体２０に連結されている。弁体２０はモータ３０によって駆動され、モータ３０の回転角度に応じて、第１形態、第２形態、及び第３形態へ切り換える。
【００６７】
ここで、第１形態とは、弁体２０が第１配管接続部１１と第３配管接続部１３とを連通させ且つ第２配管接続部１２と第４配管接続部１４とを連通させる形態である。第２形態とは、弁体２０が第１配管接続部１１と第３配管接続部１３とだけを連通させる形態である。第３形態とは、弁体２０が第２配管接続部１２と第４配管接続部１４とだけを連通させる形態である。以下、各形態を形成するための構造について、図３Ａ〜図３Ｄを参照しながら説明する。
【００６８】
図３Ａは、第１−１通路２１ａ及び第１−２通路２１ｂを用いる第１形態へ切り換えられた流路切換弁５１の第１弁室１０１及び第２弁室１０２を本体１０の中心軸と直交する面で切断したときの流路切換弁５１の断面図である。
【００６９】
また、図３Ｂは、第３通路２３を用いる第２形態へ切り換えられた流路切換弁５１の第１弁室１０１および第２弁室１０２を本体１０の中心軸と直交する面で切断したときの流路切換弁５１の断面図である。
【００７０】
また、図３Ｃは、第３通路２３を用いる第３形態へ切り換えられた流路切換弁５１の第１弁室１０１および第２弁室１０２を本体１０の中心軸と直交する面で切断したときの流路切換弁５１の断面図である。
【００７１】
また、図３Ｄは、第２−１通路２２ａ及び第２−２通路２２ｂを用いる第１形態へ切り換えられた流路切換弁５１の第１弁室１０１および第２弁室１０２を本体の中心軸と直交する面で切断したときの流路切換弁５１の断面図である。
【００７２】
図３Ａ〜図３Ｄにおいて、第２配管接続部１２は、本体１０の中心軸に対して第１配管接続部１１から時計方向に１８０°離れた位置に固定されている。また、第４配管接続部１４は、本体１０の中心軸に対して第３配管接続部１３から時計方向に１８０°離れた位置に固定されている。
【００７３】
第１−１通路２１ａと第１−２通路２１ｂとは、第１弁室１０１及び第２弁室１０２を貫通する管であり、それぞれ弁体２０の中心軸に対して１８０°点対称の位置に設けられている。
【００７４】
第２−１通路２２ａと第２−２通路２２ｂとは、第１弁室１０１及び第２弁室１０２を貫通する管であり、それぞれ弁体２０の中心軸に対して１８０°点対称の位置に設けられている。第２−１通路２２ａは、弁体２０の中心軸に対して反時計方向に６０°だけ第１−１通路２１ａから離れており、その通路断面積が第１−１通路２１ａの通路断面積よりも小さくなるように冷媒減圧区間が設けられている。
【００７５】
同様に、第２−２通路２２ｂは、弁体２０の中心軸に対して反時計方向に６０°だけ第１−２通路２１ｂから離れており、その通路断面積が第１−２通路２１ｂの通路断面積よりも小さくなるように冷媒減圧区間が設けられている。
【００７６】
第３通路２３も、第１弁室１０１及び第２弁室１０２を貫通する管であり、弁体２０の中心軸に対して反時計方向に６０°だけ第２−１通路２２ａから離れている。
【００７７】
第１−１通路２１ａ及び第１−２通路２１ｂを用いる第１形態では、第１−１通路２１ａが第１配管接続部１１及び第３配管接続部１３に対峙し、第１−２通路２１ｂが第２配管接続部１２及び第４配管接続部１４に対峙する。
【００７８】
また、第２−１通路２２ａ及び第２−２通路２２ｂを用いる第１形態では、第２−１通路２２ａが第１配管接続部１１及び第３配管接続部１３に対峙し、第２−２通路２２ｂが第２配管接続部１２及び第４配管接続部１４に対峙する。
【００７９】
また、第２形態では、第３通路２３が第１配管接続部１１及び第３配管接続部１３に対峙する。
【００８０】
さらに、第３形態では、第３通路２３が第２配管接続部１２及び第４配管接続部１４に対峙する。
【００８１】
図４Ａは、第１−１通路２１ａ及び第１−２通路２１ｂを用いる第１形態へ切り換えられた流路切換弁５１の冷媒経路図である。図４Ａにおいて、第１−１通路２１ａ及び第１−２通路２１ｂを用いる第１形態では、第１配管接続部１１と第３配管接続部１３とが連通し、且つ第２配管接続部１２と第４配管接続部１４とが連通する。
【００８２】
図４Ｂは、第３通路２３を用いる第２形態へ切り換えられた流路切換弁の冷媒経路図である。図４Ｂにおいて、第３通路２３を用いる第２形態では、第１配管接続部１１と第３配管接続部１３だけが連通する。
【００８３】
図４Ｃは、第３通路２３を用いる第３形態へ切り換えられた流路切換弁の冷媒経路図である。図４Ｃにおいて、第３通路２３を用いる第３形態では、第２配管接続部１２と第４配管接続部１４とだけが連通する。
【００８４】
図４Ｄは、第２−１通路２２ａ及び第２−２通路２２ｂを用いる第１形態へ切り換えられた流路切換弁の冷媒経路図である。図４Ｄにおいて、第２−１通路２２ａ及び第２−２通路２２ｂを用いる第１形態では、第１配管接続部１１と第３配管接続部１３とが連通し、且つ第２配管接続部１２と第４配管接続部１４とが連通する。さらに、第２−１通路２２ａ及び第２−２通路２２ｂは第１−１通路２１ａ及び第１−２通路２１ｂよりも通路断面積が極端に小さいので、例えば、冷媒が第２−１通路２２ａ及び第２−２通路２２ｂを通過するとき、その冷媒は第２−１通路２２ａ及び第２−２通路２２ｂそれぞれの冷媒減圧区間で絞られて減圧される。
【００８５】
（３）暖房運転時の冷媒の流れ
ここでは、図１、図３Ａ及び図４Ａを用いて、暖房運転時の冷媒の流れを説明する。図１において、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【００８６】
図３Ａに示すように、暖房運転時、流路切換弁５１は第１−１通路２１ａ及び第１−２通路２１ｂを用いた第１形態に切り換えられている。それゆえ、図４Ａの点線の矢で示すように、第３室内熱交換部４０ｃを出た冷媒は第３配管接続部１３から第１−１通路２１ａを通って第１配管接続部１１に至る。そして、第１配管接続部１１を出た冷媒は第１室内熱交換部４０ａに入る。
【００８７】
また、第４室内熱交換部４０ｄを出た冷媒は第４配管接続部１４から第１−２通路２１ｂを通って第２配管接続部１２に至る。そして、第２配管接続部１２を出た冷媒は第２室内熱交換部４０ｂに入る。
【００８８】
つまり、室内熱交換器４０内では、冷媒は、第３室内熱交換部４０ｃと第１室内熱交換部４０ａとを流れる間に室内空気と熱交換器して凝縮する冷媒、および第４室内熱交換部４０ｄと第２室内熱交換部４０ｂとを流れる間に室内空気と熱交換器して凝縮する冷媒の２系統に分かれている。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【００８９】
（４）冷房運転時の冷媒の流れ
ここでは、図１、図３Ａ及び図４Ａを用いて冷房運転時の冷媒の流れを説明する。図１において、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方は第１室内熱交換部４０ａに、他方は第２室内熱交換部４０ｂに送られる。
【００９０】
図３Ａに示すように、通常の冷房運転時、流路切換弁５１は、第１−１通路２１ａ及び第１−２通路２１ｂを用いた第１形態へ切り換えられている。それゆえ、図４Ａの実線の矢で示すように第１室内熱交換部４０ａを出た冷媒は第１配管接続部１１から第１−１通路２１ａを通って第３配管接続部１３に至る。そして、第３配管接続部１３を出た冷媒は第３室内熱交換部４０ｃに入る。
【００９１】
また、第２室内熱交換部４０ｂを出た冷媒は第２配管接続部１２から第１−２通路２１ｂを通って第４配管接続部１４に至る。そして、第４配管接続部１４を出た冷媒は第４室内熱交換部４０ｄに入る。
【００９２】
つまり、室内熱交換器４０内では、冷媒は、第１室内熱交換部４０ａと第３室内熱交換部４０ｃとを流れる間に室内空気と熱交換器して蒸発する冷媒、および第２室内熱交換部４０ｂと第４室内熱交換部４０ｄとを流れる間に室内空気と熱交換器して蒸発する冷媒の２系統に分かれている。室内熱交換器４０において蒸発した低圧の冷媒は、四路切換弁２を通じて、再び、圧縮機５に吸入される。
【００９３】
（５）省エネ冷房運転時の冷媒の流れ
ここでは、図１、図３Ｂ、図３Ｃ、図４Ｂ及び図４Ｃを用いて、省エネ冷房運転時の冷媒の流れを説明する。図１において、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方は第１室内熱交換部４０ａに、他方は第２室内熱交換部４０ｂに送られる。
【００９４】
省エネ冷房運転時、流路切換弁５１は、図３Ｂに示された第２形態へ切り換えられている。それゆえ、図４Ｂの実線の矢で示すように第１室内熱交換部４０ａを出た冷媒は第１配管接続部１１から第３通路２３を通って第３配管接続部１３に至る。そして、第３配管接続部１３を出た冷媒は第３室内熱交換部４０ｃに入る。第２室内熱交換部４０ｂに送られた冷媒は流れずに第２室内熱交換部４０ｂ内に滞留する。
【００９５】
つまり、室内熱交換器４０内では、冷媒は、第１室内熱交換部４０ａと第３室内熱交換部４０ｃとを流れる間に室内空気と熱交換器して蒸発する。室内熱交換器４０において蒸発した低圧の冷媒は、四路切換弁２を通じて、再び、圧縮機５に吸入される。
【００９６】
なお、省エネ冷房運転時、流路切換弁５１は、図３Ｃに示された第３形態を選択することもでき、この場合は図４Ｃに示すように、第２室内熱交換部４０ｂ出た冷媒は第２配管接続部１２から第３通路２３を通って第４配管接続部１４に至る。そして、第４配管接続部１４を出た冷媒は第４室内熱交換部４０ｄに入る。第１室内熱交換部４０ａに送られた冷媒は流れずに第１室内熱交換部４０ａ内に滞留する。
【００９７】
つまり、室内熱交換器４０内では、冷媒は、第２室内熱交換部４０ｂと第４室内熱交換部４０ｄとを流れる間に室内空気と熱交換器して蒸発する。室内熱交換器４０において蒸発した低圧の冷媒は、四路切換弁２を通じて、再び、圧縮機５に吸入される。
【００９８】
（６）再熱除湿運転時の冷媒の流れ
ここでは、図１、図３Ｄ及び図４Ｄを用いて再熱除湿運転時の冷媒の流れを説明する。図１において、冷媒は、圧縮機５に吸入され、高圧まで圧縮された後に吐出される。再熱除湿運転時、膨張弁７は全開となるので、圧縮機５から吐出された高圧の冷媒は、四路切換弁２を通じて室外熱交換器４６、及び室内熱交換器４０の第１熱交換器部群４１にまで及ぶ。なお、室外熱交換器４６から送られて来た高圧の冷媒は第１熱交換部群４１の手前で２方向に分岐し、一方は第１室内熱交換部４０ａに入り、他方は第２室内熱交換部４０ｂに入る。つまり、高圧の冷媒は、室内熱交換器４６での室外空気との熱交換、および第１熱交換部群４１での室内空気との熱交換によって凝縮する。
【００９９】
また、再熱除湿運転中、流路切換弁５１は、図３Ｄに示すように冷媒減圧区間を有する第２−１通路２２ａ及び第２−２通路２２ｂを用いた第１形態を成している。それゆえ、第１室内熱交換部４０ａを出た冷媒は、第１配管接続部１１から第２−１通路２２ａを通って第３配管接続部１３に至る間に絞られて減圧される。そして、第３配管接続部１３を出た冷媒は、第３室内熱交換部４０ｃに入り、室内空気と熱交換して蒸発する。
【０１００】
また、第２室内熱交換部４０ｂを出た冷媒は第２配管接続部１２から第２−２通路２２ｂを通って第４配管接続部１４に至る間に絞られて減圧される。そして、第４配管接続部１４を出た冷媒は第４室内熱交換部４０ｄに入り、室内空気と熱交換して蒸発する。
【０１０１】
つまり、室内熱交換器４０内では、冷媒は、第１室内熱交換部４０ａで室内空気と熱交換して凝縮し第３室内熱交換部４０ｃで室内空気と熱交換器して蒸発する冷媒、および第２室内熱交換部４０ｂで室内空気と熱交換して凝縮し第４室内熱交換部４０ｄで室内空気と熱交換して蒸発する冷媒の２系統に分かれている。第３室内熱交換部４０ｃおよび第４室内熱交換部４０ｄにおいて蒸発した低圧の冷媒は、四路切換弁２を通じて、再び、圧縮機５に吸入される。
【０１０２】
（７）第１実施形態の特徴
（７−１）
流路切換弁５１が、冷媒が流れる複数のパスを有する冷却用蒸発器の入口または出口に配置されたとき、第１−１通路２１ａ及び第１−２通路２１ｂを用いた第１形態では蒸発器全体で冷房を行うことができ、第２形態または第３形態では一部のパスにのみ冷媒を流し蒸発器として冷房を行うことができる。
【０１０３】
（７−２）
流路切換弁５１が、冷媒が流れる２つの直列配置のパスの間に配置されたとき、第２−１通路２２ａ及び第２−２通路２２ｂを用いた第１形態に切り換わることによって、流路切換弁５１の上流側のパスを凝縮器として、下流側のパスを蒸発器として利用することが可能になる。
【０１０４】
（７−３）
流路切換弁５１を備えた空気調和機では、冷房運転時に制御部８が流路切換弁５１を第２形態へ切り換えさせることによって、第１室内熱交換部４０ａ及び第２室内熱交換部４０ｂだけに冷媒を流すことができるので、室内熱交換器４０の一部だけが蒸発器となる。それゆえ、室内熱交換器４０の使用容量が小さくなり、冷媒が直ぐに蒸発することが抑制される。また、室内熱交換器４０の使用容量が小さくなることによって蒸発圧力が下がり蒸発温度も下がるので、例えば、室内熱交換器４０全体への送風量が変わらず、冷媒を流す室内熱交換器４０の容量が小さくなったときには、吸い込み空気は顕熱が多く奪われることなく除湿される。
【０１０５】
（７−４）
流路切換弁５１を備えた空気調和機では、制御部８が、流路切換弁５１を、第２−１通路２２ａ及び第２−２通路２２ｂを用いた第１形態へ切り換えることによって冷媒が減圧され、第１室内熱交換部群４１が凝縮器になり、第２室内熱交換部群４２が蒸発器になる。つまり、流路切換弁５１は再熱除湿運転時の膨張弁としての機能をも有する。
【０１０６】
＜第２実施形態＞
（１）空気調和装置の構成
図５Ａは、第２実施形態に係る流路切換弁であって、第１通路が第１配管接続部に対峙する第１形態へ切り換えられた流路切換弁の断面図である。図５Ｂは、第２実施形態に係る流路切換弁であって、第１通路が第２配管接続部に対峙する第１形態へ切り換えられた流路切換弁の断面図である。
【０１０７】
また、図５Ｃは、第２実施形態に係る流路切換弁であって、第３通路が第１配管接続部及び第３配管接続部に対峙する第２形態へ切り換えられた流路切換弁の断面図である。図５Ｄは、第２実施形態に係る流路切換弁であって、第３通路が第２配管接続部及び第４配管接続部に対峙する第２形態へ切り換えられた流路切換弁の断面図である。
【０１０８】
また、図５Ｅは、第２実施形態に係る流路切換弁であって、第２通路が第１配管接続部に対峙する第１形態へ切り換えられた流路切換弁の断面図である。図５Ｆは、第２実施形態に係る流路切換弁であって、第２通路が第２配管接続部に対峙する第１形態へ切り換えられた流路切換弁の断面図である。
【０１０９】
図６Ａは、第２実施形態に係る流路切換弁を備えた空気調和機の構成図である。図６Ａにおいて、冷媒回路上の図１との違いは、室内熱交換器４０の第１熱交部群４１の第１室内熱交換部４０ａに代えてバイパス路６１が設けられていることであり、それ以外は、図１に記載の空気調和機と同じ構成であるので、同じ部品には同じ名称および符号を付与し、詳細な説明を省略する。
【０１１０】
また、第２実施形態に係る流路切換弁５１では、弁体２０が、本体１０内部で第１配管接続部１１の流通口と第２配管接続部１２の流通口を開閉する第１弁室１０１と、第３配管接続部１３の流通口と第４配管接続部１４の流通口を開閉する第２弁室１０２とを形成している。但し、弁体２０の構成は第１実施形態と異なる。以下、図７Ａ〜図７Ｄを参照しながら第２実施形態に係る流路切換弁５１を説明する。
【０１１１】
（２）流路切換弁５１の構成
図７Ａは、第２実施形態に係る流路切換弁５１であって、第１通路２１が第１配管接続部１１に対峙する第１形態へ切り換えられた流路切換弁５１の第１弁室１０１および第２弁室１０２を本体１０の中心軸と直交する面で切断したときの流路切換弁５１の断面図である。
【０１１２】
図７Ｂは、第２実施形態に係る流路切換弁５１であって、第１通路２１が第２配管接続部１２に対峙する第１形態へ切り換えられた流路切換弁５１の第１弁室１０１および第２弁室１０２を本体１０の中心軸と直交する面で切断したときの流路切換弁５１の断面図である。
【０１１３】
図７Ｃは、第２実施形態に係る流路切換弁５１であって、第３通路２３が第１配管接続部１１及び第３配管接続部１３に対峙する第２形態へ切り換えられた流路切換弁５１の第１弁室１０１および第２弁室１０２を本体１０の中心軸と直交する面で切断したときの流路切換弁５１の断面図である。
【０１１４】
図７Ｄは、第２実施形態に係る流路切換弁５１であって、第３通路２３が第２配管接続部１２及び第４配管接続部１４に対峙する第２形態へ切り換えられた流路切換弁５１の第１弁室１０１および第２弁室１０２を本体１０の中心軸と直交する面で切断したときの流路切換弁５１の断面図である。
【０１１５】
図７Ｅは、第２実施形態に係る流路切換弁５１であって、第２通路２２が第１配管接続部１１に対峙する第１形態へ切り換えられた流路切換弁５１の第１弁室１０１および第２弁室１０２を本体１０の中心軸と直交する面で切断したときの流路切換弁５１の断面図である。
【０１１６】
図７Ｆは、第２実施形態に係る流路切換弁５１であって、第２通路２２が第２配管接続部１２に対峙する第１形態へ切り換えられた流路切換弁５１の第１弁室１０１および第２弁室１０２を本体１０の中心軸と直交する面で切断したときの流路切換弁５１の断面図である。
【０１１７】
図７Ａ〜図７Ｆにおいて、第２配管接続部１２は、胴部１０ａの中心軸に対して第１配管接続部１１から時計方向に１８０°離れた位置に固定されている。
【０１１８】
第４配管接続部１４は、胴部１０ａの中心軸に対して第３配管接続部１３から時計方向に１８０°離れた位置に固定されている。
【０１１９】
弁体２０は、本体１０の内部を第１弁室１０１と第２弁室とを仕切る円板状の回転体であって、第１通路２１、第２通路２２、及び第３通路２３が設けられている。第１通路２１は、第１弁室１０１だけを貫通する一本の管である。
【０１２０】
第２通路２２は、第１弁室１０１だけを貫通する一本の管であり、途中に冷媒減圧区間が設けられている。第２通路２２は、弁体２０の中心軸に対して反時計方向に６０°だけ第１通路２１から離れている。
【０１２１】
冷媒減圧区間では、通路断面積が第１通路２１の通路断面積よりも小さく形成されており、例えば、冷媒が流れる２つの直列配置のパスの間に配置されたとき、上流側のパスを凝縮器として、下流側のパスを蒸発器として利用することが可能になる。
【０１２２】
本実施形態の冷媒減圧区間は、第２通路２２の途中にボール２５とそのボール２５を受ける弁座２７とが配置されることによって構成されている。それゆえ、流路切換弁５１では、簡単な構成で通路面積を小さくできるので、実現が容易である。
【０１２３】
また、図８は冷媒減圧区間に配置される弁座の横断面図であるが、図８に示すように、弁座２７にブリード孔２７ａが形成されている。流路切換弁５１では、ボール２５側から弁座２７側への方向（Ａ方向とよぶ）の冷媒流量は、弁座２７側からボール２５側への方向の冷媒流量よりも極端に少なくなるので、Ａ方向を減圧機構として利用することができる。
【０１２４】
第３通路２３は、第１弁室１０１及び第２弁室１０２を貫通して第１配管接続部１１の流通口と第３配管接続部１３の流通口とを連絡する、若しくは第２配管接続部１２の流通口と第４配管接続部１４の流通口とを連絡する１本の管である。第３通路２３は、弁体２０の中心軸に対して反時計方向に６０°だけ第２通路２２から離れている。
【０１２５】
第１通路２１は、第２弁室１０２を介して、第３配管接続部１３および第４配管接続部１４と同時に対峙できる。同様に、第２通路２２は、第２弁室１０２を介して、第３配管接続部１３および第４配管接続部１４と同時に対峙できる。
【０１２６】
つまり、第１通路２１を用いた第１形態では、第１通路２１が第１配管接続部１１と対峙することによって第１配管接続部１１、第３配管接続部１３及び第４配管接続部１４に対峙する。なお、第１通路２１が第２配管接続部１２と対峙することによって第２配管接続部１２、第３配管接続部１３及び第４配管接続部１４が連通するので、この状態を、第１通路２１を用いた第１形態とする。
【０１２７】
第２通路２２を用いた第１形態では、第２通路２２が第１配管接続部１１と対峙することによって第１配管接続部１１、第３配管接続部１３及び第４配管接続部１４が連通する。なお、第２通路２２が第２配管接続部１２と対峙することによって第２配管接続部１２、第３配管接続部１３及び第４配管接続部１４が連通するので、この状態を、第２通路２２を用いた第１形態とする。
【０１２８】
また、第２形態では、第３通路２３が第１配管接続部１１及び第３配管接続部１３に対峙することによって、第１配管接続部１１と第３配管接続部１３とだけが連通する。なお、第３通路２３が第２配管接続部１２及び第４配管接続部１４に対峙することによって、第２配管接続部１２と第４配管接続部１４とだけが連通するので、この状態を、第２形態とする。
【０１２９】
（３）暖房運転時の冷媒の流れ
（３−１）通常暖房Ａ
ここでは、図６Ａ、図７B及び図９Bを用いて、暖房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【０１３０】
図９Ｂは、図７Ｂに対応する流路切換弁の冷媒経路図である。図９Ｂ、図６Ａ及び図７Ｂにおいて、暖房運転時、流路切換弁５１は第１通路２１が第２配管接続部１２に対峙する第１形態に切り換えられている。第３室内熱交換部４０ｃを出た冷媒は第３配管接続部１３を通って、第４室内熱交換部４０ｄを出た冷媒は第４配管接続部１４を通って第２弁室１０２で合流し、第１通路２１を通って第２配管接続部１２に至る。そして、第２配管接続部１２を出た冷媒は第２室内熱交換部４０ｂに入る。
【０１３１】
つまり、室内熱交換器４０内では、冷媒は、第３室内熱交換部４０ｃ、第４室内熱交換部４０ｄ及び第２室内熱交換部４０ｂを流れる間に室内空気と熱交換器して凝縮する。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【０１３２】
（３−２）通常暖房Ｂ
ここでは、図６Ａ、図７Ａ及び図９Ａを用いて、暖房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【０１３３】
図９Ａは、図７Ａに対応する流路切換弁の冷媒経路図である。図９Ａ、図６Ａ及び図７Ａにおいて、暖房運転時、流路切換弁５１は第１通路２１が第１配管接続部１１に対峙する第１形態に切り換えられている。第３室内熱交換部４０ｃを出た冷媒は第３配管接続部１３を通って、第４室内熱交換部４０ｄを出た冷媒は第４配管接続部１４を通って第２弁室１０２で合流し、第１通路２１を通って第１配管接続部１１に至る。そして、第１配管接続部１１を出た冷媒はバイパス６１に入る。
【０１３４】
つまり、室内熱交換器４０内では、冷媒は、第３室内熱交換部４０ｃ、及び第４室内熱交換部４０ｄを流れる間に室内空気と熱交換器して凝縮する。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【０１３５】
（３−３）通常暖房Ｃ
ここでは、図６Ａ、図７Ｄ及び図９Ｄを用いて、暖房運転時における冷媒の流れを説明する。
【０１３６】
図９Ｄは、図７Ｄに対応する流路切換弁の冷媒経路図である。図９Ｄ、図６Ａ及び図７Ｄにおいて、冷媒は、圧縮機５に吸入され、高圧まで圧縮された後に吐出される。圧縮機５から吐出された高圧の冷媒は、四路切換弁２を通じて、室内熱交換器４０に送られる。冷媒は室内熱交換器４０の入口手前で２方向に分岐し、一方は第３室内熱交換部４０ｃに、他方は第４室内熱交換部４０ｄに送られる。
【０１３７】
流路切換弁５１は、図７Ｄに示すように第３通路２３が第２配管接続部１２および第４配管接続部１４に対峙する第２形態へ切り換えられている。それゆえ、第４室内熱交換部４０ｄを通過した冷媒のみが第４配管接続部１４から第３通路２３を通って第２配管接続部１２に至る。そして、第２配管接続部１２を出た冷媒は第２室内熱交換部４０ｂに入る。
【０１３８】
つまり、室内熱交換器４０内では、冷媒は、第４室内熱交換部４０ｄ及び第２室内熱交換部４０ｂで室内空気と熱交換器して凝縮する。室内熱交換器４０において凝縮した高圧の冷媒は、膨張弁７に送られて低圧まで減圧され、室外熱交換器４６において、室外空気と熱交換を行って蒸発する。室外熱交換器４６において蒸発した低圧の冷媒は、四路切換弁２を通じて、再び、圧縮機５に吸入される。
【０１３９】
（４）冷房運転時の冷媒の流れ
（４−１）通常冷房Ａ
ここでは、図６Ａ、図７Ｂ及び図９Ｂを用いて冷房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１４０】
図９Ｂ、図６Ａ及び図７Ｂにおいて、通常の冷房運転時、流路切換弁５１は、第１通路２１が第２配管接続部１２に対峙する第１形態へ切り換えられている。第１配管接続部１１は閉じられているので、冷媒はバイパス路６１を流れることができない。
【０１４１】
また、第２室内熱交換部４０ｂを出た冷媒は第２配管接続部１２から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１４２】
つまり、室内熱交換器４０内では、冷媒は、第２室内熱交換部４０ｂ、第３室内熱交換部４０ｃ、及び第４室内熱交換部４０ｄを流れる間に室内空気と熱交換器して蒸発する。室内熱交換器４０において蒸発した低圧の冷媒は、四路切換弁２を通じて、再び、圧縮機５に吸入される。
【０１４３】
（４−２）通常冷房Ｂ
ここでは、図６Ａ、図７Ａ及び図９Ａを用いて冷房運転時の冷媒の流れを説明する。図６Ａにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１４４】
図９Ａ、図６Ａ及び図７Ａにおいて、通常の冷房運転時、流路切換弁５１は、第１通路２１が第１配管接続部１１に対峙する第１形態へ切り換えられている。第２配管接続部１２は閉じられているので、冷媒はバイパス路６１を流れる。
【０１４５】
また、バイパス６１を出た冷媒は第１配管接続部１１から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１４６】
つまり、室内熱交換器４０内では、冷媒は、第３室内熱交換部４０ｃ、及び第４室内熱交換部４０ｄを流れる間に室内空気と熱交換器して蒸発する。室内熱交換器４０において蒸発した低圧の冷媒は、四路切換弁２を通じて、再び、圧縮機５に吸入される。
【０１４７】
（４−３）通常冷房Ｃ
ここでは、図６Ａ、図７Ｄ及び図９Ｄを用いて、冷房運転時における冷媒の流れを説明する。
【０１４８】
図９Ｄは、図７Ｄに対応する流路切換弁の冷媒経路図である。図９Ｄ、図６Ａ及び図７Ｄにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１４９】
流路切換弁５１は、図７Ｄに示すように第３通路２３が第２配管接続部１２および第４配管接続部１４に対峙する第２形態へ切り換えられている。それゆえ、第２室内熱交換部４０ｂを通過した冷媒のみが第２配管接続部１２から第３通路２３を通って第４配管接続部１４に至る。そして、第４配管接続部１４を出た冷媒は第４室内熱交換部４０ｄに入る。
【０１５０】
つまり、室内熱交換器４０内では、冷媒は、第２室内熱交換部４０ｂ及び第４室内熱交換部４０ｄで室内空気と熱交換器して蒸発する。室内熱交換器４０において蒸発した低圧の冷媒は、四路切換弁２を通じて、再び、圧縮機５に吸入される。
【０１５１】
（５）省エネ冷房運転時の冷媒の流れ
この空気調和機では、冷媒を第３室内熱交換部４０ｃでのみ蒸発させることができる、省エネ冷房運転に適している。以下、図６Ａ、図７Ｃ及び図９Ｃを用いて、省エネ冷房運転時における冷媒の流れを説明する。
【０１５２】
図９Ｃは、図７Ｃに対応する流路切換弁の冷媒経路図である。図９Ｃ、図６Ａ及び図７Ｃにおいて、冷媒は、圧縮機５に吸入され、高圧まで圧縮された後に吐出される。圧縮機５から吐出された高圧の冷媒は、四路切換弁２を通じて、室外熱交換器４６に送られる。室外熱交換器４６に送られた高圧の冷媒は、室外空気と熱交換を行って放熱する。室外熱交換器４６において放熱した高圧の冷媒は、膨張弁７に送られて低圧まで減圧され、室内熱交換器４０に送られる。冷媒は室内熱交換器４０の入口手前で２方向に分岐し、一方はバイパス路６１に、他方は第２室内熱交換部４０ｂに送られる。
【０１５３】
省エネ冷房運転時、流路切換弁５１は、図７Ｃに示すように第３通路２３が第１配管接続部１１および第３配管接続部１３に対峙する第２形態へ切り換えられている。それゆえ、バイパス路６１を通過した冷媒のみが第１配管接続部１１から第３通路２３を通って第３配管接続部１３に至る。そして、第３配管接続部１３を出た冷媒は第３室内熱交換部４０ｃに入る。
【０１５４】
つまり、室内熱交換器４０内では、冷媒は、第３室内熱交換部４０ｃでのみ室内空気と熱交換器して蒸発する。室内熱交換器４０において蒸発した低圧の冷媒は、四路切換弁２を通じて、再び、圧縮機５に吸入される。
【０１５５】
（６）再熱除湿運転時の冷媒の流れ
ここでは、図６Ａ、図７Ｆ及び図９Ｆを用いて再熱除湿運転時の冷媒の流れを説明する。図６Ａにおいて、冷媒は、圧縮機５に吸入され、高圧まで圧縮された後に吐出される。再熱除湿運転時、膨張弁７は全開となるので、圧縮機５から吐出された高圧の冷媒は、四路切換弁２を通じて室外熱交換器４６、及び室内熱交換器４０の第１熱交換器部群４１にまで及ぶ。なお、室外熱交換器４６から送られて来た高圧の冷媒は第１熱交換部群４１の手前で２方向に分岐し、一方はバイパス路６１に送られ、他方は第２室内熱交換部４０ｂに送られる。但し、バイパス路６１と繋がる第１配管接続部１１は流路切換弁５１によって閉じられているので、バイパス路６１には冷媒が流れない。そうすると、高圧の冷媒は、室内熱交換器４６での室外空気との熱交換、および第２熱交換部４０ｂでの室内空気との熱交換によって凝縮する。
【０１５６】
図９Ｆは、図７Ｆに対応する流路切換弁の冷媒経路図である。図９Ｆ、図６Ａ及び図７Ｆにおいて、再熱除湿運転中、流路切換弁５１は、通路断面積の小さい第２通路２２が第２配管接続部１２と対峙する第１形態を成している。それゆえ、第２室内熱交換部４０ｂを出た冷媒は、第２配管接続部１２から第２通路２２を通って第３配管接続部１３及び第４配管接続部１４に至る間に絞られて減圧される。そして、第３配管接続部１３を出た冷媒は第３室内熱交換部４０ｃに、第４配管接続部１４を出た冷媒は第４室内熱交換部４０ｄに入り、室内空気と熱交換して蒸発する。
【０１５７】
つまり、室内熱交換器４０内では、冷媒は、第２室内熱交換部４０ｂで室内空気と熱交換して凝縮し第３室内熱交換部４０ｃ及び第４室内熱交換部４０ｄで室内空気と熱交換器して蒸発する。第３室内熱交換部４０ｃおよび第４室内熱交換部４０ｄにおいて蒸発した低圧の冷媒は、四路切換弁２を通じて、再び、圧縮機５に吸入される。
【０１５８】
（７）第２実施形態の特徴
（７−１）
第２実施形態に係る流路切換弁５１を備えた空気調和機では、バイパス路６１から第１配管接続部１１に入った冷媒を第３配管接続部１３から第３熱交換部４０ｃへ流して室内熱交換器４０の使用容量を小さくすることができる。その結果、冷媒循環量が小さいときに、室内熱交換器４０の使用容量を小さくすることによって、冷媒が直ぐに蒸発することが抑制される。
【０１５９】
また、室内熱交換器４０の使用容量が小さくなったことによって蒸発圧力が下がり蒸発温度も下がるので、室内熱交換器４０全体への送風量が変わらず、冷媒を流す室内熱交換器４０の容量が小さくなり、吸い込み空気は顕熱が多く奪われることなく除湿される。
【０１６０】
（８）第２実施形態に係る流路切換弁５１を備えた第２の空気調和機
第２実施形態に係る流路切換弁５１を備えた空気調和機では、第１配管接続部１１にバイパス路６１が接続され、第２配管接続部１２に第２室内熱交換部４０ｂが接続されているが、これに限定されない。
【０１６１】
図６Ｂは第２実施形態に係る流路切換弁を備えた第２の空気調和機の構成図である。図６Ｂにおいて、第１配管接続部１１に第１熱交換部４０ａが接続され、第２配管接続部１２にバイパス路６１が接続されている。
【０１６２】
暖房運転、冷房運転、省エネ冷房運転、および再熱除湿運転における流路切換弁５１前後の冷媒の流れは、上記空気調和機と同じであるので、ここでは暖房運転、冷房運転、省エネ冷房運転、および再熱除湿運転における流路切換弁５１内の冷媒の流れのみ説明する。
【０１６３】
（８−１）暖房運転時の冷媒の流れ
（８−１−１）通常暖房Ａ
図９Ａは、図７Ａに対応する流路切換弁の冷媒経路図である。図９Ａ、図６Ｂ及び図７Ａにおいて、流路切換弁５１は第１通路２１が第１配管接続部１１に対峙する第１形態に切り換えられている。第３室内熱交換部４０ｃを出た冷媒は第３配管接続部１３、第４室内熱交換部４０ｄを出た冷媒は第４配管接続部１４を通って第２弁室１０２で合流し、第１通路２１を通って第１配管接続部１１に至る。そして、第１配管接続部１１を出た冷媒は第１室内熱交換部４０ａに入る。
【０１６４】
つまり、室内熱交換器４０内では、冷媒は、第３室内熱交換部４０ｃ、第４室内熱交換部４０ｄ及び第１室内熱交換部４０ａを流れる間に室内空気と熱交換器して凝縮する。
【０１６５】
（８−１−２）通常暖房Ｂ
図９Ｂは、図７Ｂに対応する流路切換弁の冷媒経路図である。図９Ｂ、図６Ｂ及び図７Ｂにおいて、流路切換弁５１は第１通路２１が第２配管接続部１２に対峙する第１形態に切り換えられている。第３室内熱交換部４０ｃを出た冷媒は第３配管接続部１３、第４室内熱交換部４０ｄを出た冷媒は第４配管接続部１４を通って第２弁室１０２で合流し、第１通路２１を通って第２配管接続部１２に至る。そして、第２配管接続部１２を出た冷媒はバイパス６１に入る。
【０１６６】
つまり、室内熱交換器４０内では、冷媒は、第３室内熱交換部４０ｃ、及び第４室内熱交換部４０ｄを流れる間に室内空気と熱交換器して凝縮する。
【０１６７】
（８−１−３）通常暖房Ｃ
図９Ｃは、図７Ｃに対応する流路切換弁の冷媒経路図である。図９Ｃ、図６Ｂ及び図７Ｃにおいて、暖房運転時、流路切換弁５１は、第３通路２３が第１配管接続部１１および第３配管接続部１３に対峙する第２形態へ切り換えられている。それゆえ、第３室内熱交換部４０ｃを通過した冷媒は第３配管接続部１３から第３通路２３を通って第１配管接続部１１に至る。そして、第１配管接続部１１を出た冷媒は第１室内熱交換部４０ａに入る。
【０１６８】
つまり、室内熱交換器４０内では、冷媒は、第３室内熱交換部４０ｃ及び第１室内熱交換部４０ａで室内空気と熱交換器して凝縮する。
【０１６９】
（８−２）冷房運転時の冷媒の流れ
（８−２−１）通常冷房Ａ
図９Ａ、図６Ｂ及び図７Ａにおいて、通常の冷房運転時、流路切換弁５１は、第１通路２１が第１配管接続部１１に対峙する第１形態へ切り換えられている。第２配管接続部１２は閉じられているので、冷媒はバイパス路６１を流れることができない。
【０１７０】
また、第１室内熱交換部４０ａを出た冷媒は第１配管接続部１１から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１７１】
つまり、室内熱交換器４０内では、冷媒は、第１室内熱交換部４０ａ、第３室内熱交換部４０ｃ、及び第４室内熱交換部４０ｄを流れる間に室内空気と熱交換器して蒸発する。
【０１７２】
（８−２−２）通常冷房Ｂ
図９Ｂ、図６Ｂ及び図７Ｂにおいて、冷房運転時、流路切換弁５１は、第１通路２１が第２配管接続部１２に対峙する第１形態へ切り換えられている。第１配管接続部１１は閉じられているので、冷媒はバイパス路６１を流れる。
【０１７３】
また、バイパス６１を出た冷媒は第２配管接続部１２から第１通路２１を通って第３配管接続部１３及び第４配管接続部１４に至る。そして、第３配管接続部１３を出た冷媒は第３室内熱交換部４０ｃに入る。第４配管接続部１４を出た冷媒は第４室内熱交換部４０ｄに入る。
【０１７４】
つまり、室内熱交換器４０内では、冷媒は、第３室内熱交換部４０ｃ、及び第４室内熱交換部４０ｄを流れる間に室内空気と熱交換器して蒸発する。
【０１７５】
（８−２−３）通常冷房Ｃ
図９Ｃは、図７Ｃに対応する流路切換弁の冷媒経路図である。図９Ｃ、図６Ｂ及び図７Ｃにおいて、冷房運転時、流路切換弁５１は、第３通路２３が第１配管接続部１１および第３配管接続部１３に対峙する第２形態へ切り換えられている。それゆえ、第１室内熱交換部４０ａを通過した冷媒は第１配管接続部１１から第３通路２３を通って第３配管接続部１３に至る。そして、第３配管接続部１３を出た冷媒は第３室内熱交換部４０ｃに入る。
【０１７６】
つまり、室内熱交換器４０内では、冷媒は、第１室内熱交換部４０ａ及び第３室内熱交換部４０ｃで室内空気と熱交換器して蒸発する。
【０１７７】
（８−３）省エネ冷房運転時の冷媒の流れ
図９Ｄは、図７Ｄに対応する流路切換弁の冷媒経路図である。図９Ｄ、図６Ｂ及び図７Ｄにおいて、省エネ冷房運転時、流路切換弁５１は、第３通路２３が第２配管接続部１２および第４配管接続部１４に対峙する第２形態へ切り換えられている。それゆえ、バイパス路６１を通過した冷媒は第２配管接続部１２から第３通路２３を通って第４配管接続部１４に至る。そして、第４配管接続部１４を出た冷媒は第４室内熱交換部４０ｄに入る。
【０１７８】
つまり、室内熱交換器４０内では、冷媒は、第４室内熱交換部４０ｄでのみ室内空気と熱交換器して蒸発する。
【０１７９】
（８−４）再熱除湿運転時の冷媒の流れ
図９Ｅは、図７Ｅに対応する流路切換弁の冷媒経路図である。図９Ｅ、図６Ｂ及び図７Ｅにおいて、再熱除湿運転中、流路切換弁５１は、通路断面積の小さい第２通路２２が第１配管接続部１１と対峙する第１形態を成している。それゆえ、第１室内熱交換部４０ａを出た冷媒は、第１配管接続部１１から第２通路２２を通って第３配管接続部１３及び第４配管接続部１４に至る間に絞られて減圧される。そして、第３配管接続部１３を出た冷媒は第３室内熱交換部４０ｃに、第４配管接続部１４を出た冷媒は第４室内熱交換部４０ｄに入り、室内空気と熱交換して蒸発する。
【０１８０】
つまり、室内熱交換器４０内では、冷媒は、第１室内熱交換部４０ａで室内空気と熱交換して凝縮し第３室内熱交換部４０ｃ及び第４室内熱交換部４０ｄで室内空気と熱交換器して蒸発する。
【０１８１】
（９）第２実施形態に係る流路切換弁５１を備えた第３の空気調和機
上記第２実施形態に係る流路切換弁５１を備えた空気調和機および第２の空気調和機では、第１配管接続部１１及び第２配管接続部１２のいずれか一方にバイパス路が接続され、他方に熱交換部が接続されているが、これに限定されない。
【０１８２】
図１０Ａは、第２実施形態に係る流路切換弁５１を備えた第３の空気調和機の構成図である。図１０Ａにおいて、第３配管接続部１３に第１熱交換部４０ｂが、第４配管接続部１４に第２室内熱交換部４０ｂが、第１配管接続部１１にバイパス路７１が、第２配管接続部１２に第４室内熱交換部４０ｄが接続されている。
【０１８３】
暖房運転、冷房運転、省エネ冷房運転、および再熱除湿運転における流路切換弁５１前後の冷媒の流れは、上記第２の空気調和機と同じであるので、ここでは暖房運転、冷房運転、省エネ冷房運転、および再熱除湿運転における流路切換弁５１内の冷媒の流れのみ説明する。
【０１８４】
（９−１）暖房運転時の冷媒の流れ
（９−１−１）通常暖房Ａ
流路切換弁５１は、第１通路２１が第２配管接続部１２に対峙する第１形態に切り換えられている（図７Ｂ、図９Ｂ参照）。第４室内熱交換部４０ｄを出た冷媒は第２配管接続部１２を通って第１弁室１０１に入り、第１通路２１を通って第２弁室１０２に至る。冷媒は、第２弁室１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０１８５】
つまり、室内熱交換器４０内では、冷媒は、第４室内熱交換部４０ｄ、第１室内熱交換部４０ａ及び第２室内熱交換部４０ｂを流れる間に室内空気と熱交換器して凝縮する。
【０１８６】
（９−１−２）通常暖房Ｂ
流路切換弁５１は、第１通路２１が第１配管接続部１１に対峙する第１形態に切り換えられている（図７Ａ、図９Ａ参照）。バイパス７１を出た冷媒は第１配管接続部１１を通って第１弁室１０１に入り、第１通路２１を通って第２弁室１０２に至る。冷媒は、第２弁室１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０１８７】
つまり、室内熱交換器４０内では、冷媒は、第１室内熱交換部４０ａ及び第２室内熱交換部４０ｂを流れる間に室内空気と熱交換器して凝縮する。
【０１８８】
（９−１−３）通常暖房Ｃ
流路切換弁５１は、第３通路２３が第２配管接続部１２および第４配管接続部１４に対峙する第２形態へ切り換えられている（図７Ｄ、図９Ｄ参照）。それゆえ、第４室内熱交換部４０ｄを通過した冷媒は第２配管接続部１２から第３通路２３を通って第４配管接続部１４に至る。そして、第４配管接続部１４を出た冷媒は第２室内熱交換部４０ｂに入る。
【０１８９】
つまり、室内熱交換器４０内では、冷媒は、第４室内熱交換部４０ｄと第２室内熱交換部４０ｂで室内空気と熱交換器して凝縮する。
【０１９０】
（９−２）冷房運転時の冷媒の流れ
（９−２−１）通常冷房Ａ
流路切換弁５１は、第１通路２１が第２配管接続部１２に対峙する第１形態に切り換えられている（図７Ｂ、図９Ｂ参照）。第１配管接続部１１は閉じられているので、冷媒はバイパス路７１を流れることができない。
【０１９１】
第１室内熱交換部４０ａを出て第３配管接続部１３に入った冷媒、及び第２室内熱交換部４０ｂを出て第４配管接続部に入った冷媒は、第２弁室１０２で合流し第１通路２１を通って第２配管接続部１２に至る。そして、第２配管接続部１２を出た冷媒は第４室内熱交換部４０ｄに入る。
【０１９２】
つまり、室内熱交換器４０内では、冷媒は、第１室内熱交換部４０ａ、第２室内熱交換部４０ｂ、及び第４室内熱交換部４０ｄを流れる間に室内空気と熱交換器して蒸発する。
【０１９３】
（９−２−２）通常冷房Ｂ
流路切換弁５１は、第１通路２１が第１配管接続部１１に対峙する第１形態に切り換えられている（図７Ａ、図９Ａ参照）。第２配管接続部１２は閉じられているので、冷媒はバイパス路７１を流れる。
【０１９４】
第１室内熱交換部４０ａを出て第３配管接続部１３に入った冷媒、及び第２室内熱交換部４０ｂを出て第４配管接続部に入った冷媒は、第２弁室１０２で合流し第１通路２１を通って第１配管接続部１１に至る。そして、第１配管接続部１１を出た冷媒はバイパス７１に入る。
【０１９５】
つまり、室内熱交換器４０内では、冷媒は、第１室内熱交換部４０ａ、及び第２室内熱交換部４０ｂを流れる間に室内空気と熱交換器して蒸発する。
【０１９６】
（９−２−３）通常冷房Ｃ
冷房運転時、流路切換弁５１は、第３通路２３が第２配管接続部１２および第４配管接続部１４に対峙する第２形態へ切り換えられている（図７Ｄ、図９Ｄ参照）。それゆえ、第２室内熱交換部４０ｂを通過した冷媒は第４配管接続部１４から第３通路２３を通って第２配管接続部１２に至る。そして、第２配管接続部１２を出た冷媒は第４室内熱交換部４０ｄに入る。
【０１９７】
つまり、室内熱交換器４０内では、冷媒は、第２室内熱交換部４０ｂと第４室内熱交換部４０ｄで室内空気と熱交換器して蒸発する。
【０１９８】
（９−３）省エネ冷房運転時の冷媒の流れ
省エネ冷房運転時、流路切換弁５１は、第３通路２３が第１配管接続部１１および第３配管接続部１３に対峙する第２形態へ切り換えられている（図７Ｃ、図９Ｃ参照）。それゆえ、第１室内熱交換部４０ａを通過した冷媒は第３配管接続部１３から第３通路２３を通って第１配管接続部１１に至る。そして、第１配管接続部１１を出た冷媒はバイパス路７１に入る。
【０１９９】
つまり、室内熱交換器４０内では、冷媒は、第１室内熱交換部４０ａでのみ室内空気と熱交換器して蒸発する。
【０２００】
（９−４）再熱除湿運転時の冷媒の流れ
再熱除湿運転中、流路切換弁５１は、通路断面積の小さい第２通路２２が第２配管接続部１２と対峙する第１形態を成している（図７Ｆ、図９Ｆ参照）。それゆえ、第１室内熱交換部４０ａを出て第３配管接続部１３に入った冷媒、および第２室内熱交換部４０ｂを出て第４配管接続部１４に入った冷媒は、第２弁室１０２で合流し、第２通路２２を通って第２配管接続部１２に至る間に絞られて減圧される。そして、第２配管接続部１２を出た冷媒は第４室内熱交換部４０ｄに入り、室内空気と熱交換して蒸発する。
【０２０１】
つまり、室内熱交換器４０内では、冷媒は、第１室内熱交換部４０ａ及び第２室内熱交換部４０ｂで室内空気と熱交換して凝縮し第４室内熱交換部４０ｄで室内空気と熱交換器して蒸発する。
【０２０２】
（１０）第２実施形態に係る流路切換弁５１を備えた第４の空気調和機
上記第２実施形態に係る流路切換弁５１を備えた第３の空気調和機では、第１配管接続部１１にバイパス路７１が接続され、第２配管接続部１２に第４室内熱交換部４０ｄが接続されているが、これに限定されない。
【０２０３】
図１０Ｂは第２実施形態に係る流路切換弁５１を備えた第４の空気調和機の構成図である。図１０Ｂにおいて、第１配管接続部１１に第３室内熱交換部４０ｃが接続され、第２配管接続部１２にバイパス路７１が接続されている。
【０２０４】
暖房運転、冷房運転、省エネ冷房運転、および再熱除湿運転における流路切換弁５１前後の冷媒の流れは、上記空気調和機と同じであるので、ここでは暖房運転、冷房運転、省エネ冷房運転、および再熱除湿運転における流路切換弁５１内の冷媒の流れのみ説明する。
【０２０５】
（１０−１）暖房運転時の冷媒の流れ
（１０−１−１）通常暖房Ａ
流路切換弁５１は、第１通路２１が第１配管接続部１１に対峙する第１形態に切り換えられている（図７Ａ、図９Ａ参照）。第３室内熱交換部４０ｃを出た冷媒は第１配管接続部１１を通って第１弁室１０１に入り、第１通路２１を通って第２弁室１０２に至る。冷媒は、第２弁室１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０２０６】
つまり、室内熱交換器４０内では、冷媒は、第３室内熱交換部４０ｃ、第１室内熱交換部４０ａ及び第２室内熱交換部４０ｂを流れる間に室内空気と熱交換器して凝縮する。
【０２０７】
（１０−１−２）通常暖房Ｂ
流路切換弁５１は、第１通路２１が第２配管接続部１２に対峙する第１形態に切り換えられている（図７Ｂ、図９Ｂ参照）。バイパス７１を出た冷媒は第２配管接続部１２を通って第１弁室１０１に入り、第１通路２１を通って第２弁室１０２に至る。冷媒は、第２弁室１０２において第３配管接続部１３及び第４配管接続部１４それぞれに分流する。第３配管接続部１３を出た冷媒は第１室内熱交換部４０ａに入り、第４配管接続部１４を出た冷媒は第２室内熱交換部４０ｂに入る。
【０２０８】
つまり、室内熱交換器４０内では、冷媒は、第１室内熱交換部４０ａ及び第２室内熱交換部４０ｂを流れる間に室内空気と熱交換器して凝縮する。
【０２０９】
（１０−１−３）通常暖房Ｃ
流路切換弁５１は、第３通路２３が第１配管接続部１１および第３配管接続部１３に対峙する第２形態へ切り換えられている（図７Ｃ、図９Ｃ参照）。それゆえ、第３室内熱交換部４０ｃを通過した冷媒は第１配管接続部１１から第３通路２３を通って第３配管接続部１３に至る。そして、第３配管接続部１３を出た冷媒は第１室内熱交換部４０ａに入る。
【０２１０】
つまり、室内熱交換器４０内では、冷媒は、第３室内熱交換部４０ｃ及び第１室内熱交換部４０ａで室内空気と熱交換器して凝縮する。
【０２１１】
（１０−２）冷房運転時の冷媒の流れ
（１０−２−１）通常冷房Ａ
流路切換弁５１は、第１通路２１が第１配管接続部１１に対峙する第１形態に切り換えられている（図７Ａ、図９Ａ参照）。第２配管接続部１２は閉じられているので、冷媒はバイパス路７１を流れることができない。
【０２１２】
第１室内熱交換部４０ａを出て第３配管接続部１３に入った冷媒、及び第２室内熱交換部４０ｂを出て第４配管接続部１４に入った冷媒は、第２弁室１０２で合流し第１通路２１を通って第１配管接続部１１に至る。そして、第１配管接続部１１を出た冷媒は第３室内熱交換部４０ｃに入る。
【０２１３】
つまり、室内熱交換器４０内では、第１室内熱交換部４０ａ、第２室内熱交換部４０ｂ、及び第３室内熱交換部４０ｃを流れる間に室内空気と熱交換器して蒸発する。
【０２１４】
（１０−２−２）通常冷房Ｂ
流路切換弁５１は、第１通路２１が第２配管接続部１２に対峙する第１形態に切り換えられている（図７Ｂ、図９Ｂ参照）。第１配管接続部１１は閉じられているので、冷媒はバイパス路７１を流れる。
【０２１５】
第１室内熱交換部４０ａを出て第３配管接続部１３に入った冷媒、及び第２室内熱交換部４０ｂを出て第４配管接続部１４に入った冷媒は、第２弁室１０２で合流し第１通路２１を通って第２配管接続部１２に至る。そして、第２配管接続部１２を出た冷媒はバイパス７１に入る。
【０２１６】
つまり、室内熱交換器４０内では、第１室内熱交換部４０ａ、及び第２室内熱交換部４０ｂを流れる間に室内空気と熱交換器して蒸発する。
【０２１７】
（１０−２−３）通常冷房Ｃ
流路切換弁５１は、第３通路２３が第１配管接続部１１および第３配管接続部１３に対峙する第２形態へ切り換えられている（図７Ｃ、図９Ｃ参照）。それゆえ、第１室内熱交換部４０ａを通過した冷媒は第３配管接続部１３から第３通路２３を通って第１配管接続部１１に至る。そして、第１配管接続部１１を出た冷媒は第３室内熱交換部４０ｃに入る。
【０２１８】
つまり、室内熱交換器４０内では、冷媒は、第１室内熱交換部４０ａ及び第３室内熱交換部４０ｃで室内空気と熱交換器して蒸発する。
【０２１９】
（１０−３）省エネ冷房運転時の冷媒の流れ
省エネ冷房運転時、流路切換弁５１は、第３通路２３が第２配管接続部１２および第４配管接続部１４に対峙する第２形態へ切り換えられている（図７Ｄ、図９Ｄ参照）。それゆえ、第２室内熱交換部４０ｂを通過した冷媒は第４配管接続部１４から第３通路２３を通って第２配管接続部１２に至る。そして、第２配管接続部１２を出た冷媒はバイパス路７１に入る。
【０２２０】
つまり、室内熱交換器４０内では、冷媒は、第２室内熱交換部４０ｂでのみ室内空気と熱交換器して蒸発する。
【０２２１】
（１０−４）再熱除湿運転時の冷媒の流れ
再熱除湿運転中、流路切換弁５１は、通路断面積の小さい第２通路２２が第１配管接続部１１と対峙する第１形態を成している（図７Ｅ、図９Ｅ参照）。それゆえ、第１室内熱交換部４０ａを出て第３配管接続部１３に入った冷媒、および第２室内熱交換部４０ｂを出て第４配管接続部１４に入った冷媒は、第２弁室１０２で合流し、第２通路２２を通って第１配管接続部１１に至る間に絞られて減圧される。そして、第１配管接続部１１を出た冷媒は第３室内熱交換部４０ｃに入り、室内空気と熱交換して蒸発する。
【０２２２】
つまり、室内熱交換器４０内では、冷媒は、第１室内熱交換部４０ａ及び第２室内熱交換部４０ｂで室内空気と熱交換して凝縮し第３室内熱交換部４０ｃで室内空気と熱交換器して蒸発する。
【０２２３】
（１１）第２実施形態に係る流路切換弁を備えた第３及び第４の空気調和機の特徴
（１１−１）
第２実施形態に係る流路切換弁５１を備えた第３及び第４の空気調和機では、室内熱交換器４０の使用容量が小さくなることによって、室内熱交換器４０全体への送風量が変わらず、冷媒を流す室内熱交換器４０の容量が小さくなるので、吸い込み空気は顕熱が多く奪われることなく除湿される。
【０２２４】
（１１−２）
また、第３配管接続部１３および第４配管接続部１４を流入口として、第１配管接続部１１または第２配管接続部１２を流出口として利用することによって、再熱除湿運転時、２つの凝縮器からの冷媒を減圧して、１つに蒸発器へ送る構成が可能となる。
【産業上の利用可能性】
【０２２５】
以上のように、本願発明によれば、流体のパス数の切換、およびバイパス回路等への切り換えが１つの流路切換弁によって行われるので空気調和装置に有用である。
【符号の説明】
【０２２６】
５  圧縮機
７  膨張弁（減圧器）
８  制御部
１０  本体
１１  第１配管接続部（第１流入口）
１２  第２配管接続部（第２流入口）
１３  第３配管接続部（第１流出口）
１４  第４配管接続部（第２流出口）
２０  弁体（可動体）
２１，２１ａ，２１ｂ  第１通路
２２，２２ａ，２２ｂ  第２通路
２３  第３通路
４０  室内熱交換器
４０ａ  第１室内熱交換部
４０ｂ  第２室内熱交換部
４０ｃ  第３室内熱交換部
４０ｄ  第４室内熱交換部
４１  第１室内熱交換部群
４２  第２室内熱交換部群
４６  室外熱交換器
５１  流路切換弁
６１  バイパス路
７１  バイパス路
１０１  第１弁室
１０２  第２弁室
【先行技術文献】
【特許文献】
【０２２７】
【特許文献１】特開２００３−１４８８３０号公報
【図１】
0005588397.tif 000002
【図２Ａ】
0005588397.tif 000003
【図２Ｂ】
0005588397.tif 000004
【図２Ｃ】
0005588397.tif 000005
【図２Ｄ】
0005588397.tif 000006
【図３Ａ】
0005588397.tif 000007
【図３Ｂ】
0005588397.tif 000008
【図３Ｃ】
0005588397.tif 000009
【図３Ｄ】
0005588397.tif 000010
【図４Ａ】
0005588397.tif 000011
【図４Ｂ】
0005588397.tif 000012
【図４Ｃ】
0005588397.tif 000013
【図４Ｄ】
0005588397.tif 000014
【図５Ａ】
0005588397.tif 000015
【図５Ｂ】
0005588397.tif 000016
【図５Ｃ】
0005588397.tif 000017
【図５Ｄ】
0005588397.tif 000018
【図５Ｅ】
0005588397.tif 000019
【図５Ｆ】
0005588397.tif 000020
【図６Ａ】
0005588397.tif 000021
【図６Ｂ】
0005588397.tif 000022
【図７Ａ】
0005588397.tif 000023
【図７Ｂ】
0005588397.tif 000024
【図７Ｃ】
0005588397.tif 000025
【図７Ｄ】
0005588397.tif 000026
【図７Ｅ】
0005588397.tif 000027
【図７Ｆ】
0005588397.tif 000028
【図８】
0005588397.tif 000029
【図９Ａ】
0005588397.tif 000030
【図９Ｂ】
0005588397.tif 000031
【図９Ｃ】
0005588397.tif 000032
【図９Ｄ】
0005588397.tif 000033
【図９Ｅ】
0005588397.tif 000034
【図９Ｆ】
0005588397.tif 000035
【図１０Ａ】
0005588397.tif 000036
【図１０Ｂ】
0005588397.tif 000037